(57)【要約】      （修正有）【課題】新規機能が有ることおよび新規機能の内容をユーザに認識させることができる画像形成装置、制御プログラムおよび制御方法を提供する。【解決手段】画像形成装置は、ディスプレイ２２を備える。画像形成装置に新規機能が追加された場合に、ディスプレイ２２には、新規機能の存在および新規機能の内容をユーザに報知するための報知画面１０４が表示される。報知画面１０４には、新規機能が追加されたことを示す旨のメッセージ、新規機能を有効にするか無効にするかを設定する機能設定部１０６、新規機能の詳細設定を行う画面を表示させる移動キー１０８、報知画面１０４の表示設定を変更する表示設定部１１０および報知画面１０４を閉じるための閉じるキー１１２等が設けられる。【選択図】図４
2019014108.tif 000002
【特許請求の範囲】
【請求項１】
ディスプレイを備え、複数の機能を実行可能な画像形成装置であって、
新たに追加された新規機能が存在する場合に、当該新規機能についての情報を含む報知画面を前記ディスプレイに表示させる報知手段を備える、画像形成装置。
【請求項２】
前記報知手段は、前記ディスプレイに表示される複数の操作画面のうち、前記新規機能に関連する操作画面が前記ディスプレイに表示されている場合に、前記報知画面を前記ディスプレイに表示させる、請求項１記載の画像形成装置。
【請求項３】
前記操作画面には、前記報知画面を表示させるための報知キーが設けられ、
前記報知手段は、前記報知キーを選択するユーザ操作が行われた場合に、前記報知画面を前記ディスプレイに表示させる、請求項２記載の画像形成装置。
【請求項４】
前記操作画面には、前記複数の機能の各々に対応する複数の機能選択キーが設けられ、
前記新規機能に関連する機能選択キーに、当該新規機能の存在を報知するための報知マークが表示される、請求項２または３記載の画像形成装置。
【請求項５】
前記報知手段は、前記新規機能の設定が変更された場合に、前記報知画面を前記ディスプレイに表示させる、請求項４記載の画像形成装置。
【請求項６】
前記新規機能を検出する検出手段をさらに備え、
前記報知手段は、前記検出手段によって前記新規機能が検出された場合に、前記報知画面を前記ディスプレイに表示させる、請求項１ないし５のいずれかに記載の画像形成装置。
【請求項７】
前記画像形成装置において実行可能な機能を示す機能テーブルを記憶する記憶手段をさらに備え、
前記検出手段は、前記機能テーブルを参照して、前記新規機能を検出する、請求項６記載の画像形成装置。
【請求項８】
前記検出手段は、前記画像形成装置のファームウェアが、第１ファームウェアから前記第１ファームウェアとは異なる第２ファームウェアに更新されたときに新たに追加された機能を前記新規機能として検出する、請求項６または７記載の画像形成装置。
【請求項９】
他の画像形成装置のバージョン情報を取得する取得手段をさらに備え、
前記検出手段は、前記取得手段で取得した前記バージョン情報に応じて、前記新規機能を検出する、請求項６または７記載の画像形成装置。
【請求項１０】
所定の条件が満たすかどうかを判断する判断手段をさらに備え、
前記報知手段は、前記判断手段によって前記所定の条件を満たすと判断された場合に、前記報知画面を表示しないようにする、請求項１ないし９のいずれかに記載の画像形成装置。
【請求項１１】
前記所定の条件は、前記報知画面を表示しないようにするユーザ操作が行われることに応じて満たされる、請求項１０記載の画像形成装置。
【請求項１２】
前記所定の条件は、前記新規機能が追加されてから所定の期間が経過することに応じて満たされる、請求項１０記載の画像形成装置。
【請求項１３】
前記操作画面には、前記複数の機能の各々に対応する複数の機能選択キーが設けられ、
前記操作画面には、前記複数の機能選択キーの各々を表示するかどうかの設定を行うための表示設定画面を表示させるための機能リストキーが設けられ、
前記表示設定画面では、ユーザ操作に応じて、前記複数の機能選択キーの各々を表示するかどうかの設定が変更される、請求項２または３記載の画像形成装置。
【請求項１４】
ディスプレイを備え、複数の機能を実行可能な画像形成装置の制御プログラムであって、
前記画像形成装置のプロセッサを、
新たに追加された新規機能が存在する場合に、当該新規機能についての情報を含む報知画面を前記ディスプレイに表示させる報知手段として機能させる、制御プログラム。
【請求項１５】
ディスプレイを備え、複数の機能を実行可能な画像形成装置のプロセッサが、
（ａ）新たに追加された新規機能が存在する場合に、当該新規機能についての情報を含む報知画面を前記ディスプレイに表示させるステップを実行する、制御方法。
【発明の詳細な説明】
【技術分野】
【０００１】
この発明は、画像形成装置、制御プログラムおよび制御方法に関し、特にたとえば、複数の機能を実行可能な画像形成装置、制御プログラムおよび制御方法に関する。
【背景技術】
【０００２】
この種の背景技術の一例が特許文献１に開示される。背景技術の画像形成装置は、液晶表示装置を含む操作パネルを備え、液晶表示装置に隣接する右上部分には、操作ガイドキーが設けられる。この操作ガイドキーを必要に応じて操作者が操作すれば、画像形成装置に搭載されている多彩な機能について、詳細な機能説明、および操作方法などの情報が得られる。
【先行技術文献】
【特許文献】
【０００３】
【特許文献１】特開平１１−１３４１５６号公報
【発明の概要】
【発明が解決しようとする課題】
【０００４】
しかしながら、背景技術の画像形成装置では、新たに追加された新規機能が存在する場合に、ユーザがその新規機能に気づかなかったり、新規機能の内容が分からなかったりすることがある。このため、改善の余地がある。
【０００５】
それゆえに、この発明の主たる目的は、新規な、画像形成装置、制御プログラムおよび制御方法を提供することである。
【０００６】
この発明の他の目的は、新規機能が有ることおよび新規機能の内容をユーザに認識させることができる、画像形成装置、制御プログラムおよび制御方法を提供することである。
【課題を解決するための手段】
【０００７】
第１の発明は、ディスプレイを備え、複数の機能を実行可能な画像形成装置であって、報知手段を備える。報知手段は、新たに追加された新規機能が存在する場合に、当該新規機能についての情報を含む報知画面をディスプレイに表示させる。
【０００８】
第２の発明は、第１の発明に従属する画像形成装置であって、報知手段は、ディスプレイに表示される複数の操作画面のうち、新規機能に関連する操作画面がディスプレイに表示されている場合に、報知画面をディスプレイに表示させる。
【０００９】
第３の発明は、第２の発明に従属する画像形成装置であって、操作画面には、報知画面を表示させるための報知キーが設けられ、報知手段は、報知キーを選択するユーザ操作が行われた場合に、報知画面をディスプレイに表示させる。
【００１０】
第４の発明は、第２または第３の発明に従属する画像形成装置であって、操作画面には、複数の機能の各々に対応する複数の機能選択キーが設けられ、新規機能に関連する機能選択キーに、当該新規機能の存在を報知するための報知マークが表示される。
【００１１】
第５の発明は、第４の発明に従属する画像形成装置であって、報知手段は、新規機能の設定が変更された場合に、報知画面をディスプレイに表示させる。
【００１２】
第６の発明は、第１ないし第５のいずれかの発明に従属する画像形成装置であって、新規機能を検出する検出手段をさらに備え、報知手段は、検出手段によって新規機能が検出された場合に、報知画面をディスプレイに表示させる。
【００１３】
第７の発明は、第６の発明に従属する画像形成装置であって、画像形成装置において実行可能な機能を示す機能テーブルを記憶する記憶手段をさらに備え、検出手段は、機能テーブルを参照して、新規機能を検出する。
【００１４】
第８の発明は、第６または第７の発明に従属する画像形成装置であって、検出手段は、画像形成装置のファームウェアが、第１ファームウェアから第１ファームウェアとは異なる第２ファームウェアに更新されたときに新たに追加された機能を新規機能として検出する。
【００１５】
第９の発明は、第６または第７の発明に従属する画像形成装置であって、他の画像形成装置のバージョン情報を取得する取得手段をさらに備え、検出手段は、取得手段で取得したバージョン情報に応じて、新規機能を検出する。
【００１６】
第１０の発明は、第１ないし第９のいずれかの発明に従属する画像形成装置であって、所定の条件が満たすかどうかを判断する判断手段をさらに備え、報知手段は、判断手段によって所定の条件を満たすと判断された場合に、報知画面を表示しないようにする。
【００１７】
第１１の発明は、第１０の発明に従属する画像形成装置であって、所定の条件は、報知画面を表示しないようにするユーザ操作が行われることに応じて満たされる。
【００１８】
第１２の発明は、第１０の発明に従属する画像形成装置であって、所定の条件は、新規機能が追加されてから所定の期間が経過することに応じて満たされる。
【００１９】
第１３の発明は、第２または第３の発明に従属する画像形成装置であって、操作画面には、複数の機能の各々に対応する複数の機能選択キーが設けられ、操作画面には、複数の機能選択キーの各々を表示するかどうかの設定を行うための表示設定画面を表示させるための機能リストキーが設けられ、表示設定画面では、ユーザ操作に応じて、複数の機能選択キーの各々を表示するかどうかの設定が変更される。
【００２０】
第１４の発明は、ディスプレイを備え、複数の機能を実行可能な画像形成装置の制御プログラムであって、画像形成装置のプロセッサを、新たに追加された新規機能が存在する場合に、当該新規機能についての情報を含む報知画面をディスプレイに表示させる報知手段として機能させる。
【００２１】
第１５の発明は、ディスプレイを備え、複数の機能を実行可能な画像形成装置のプロセッサが、（ａ）新たに追加された新規機能が存在する場合に、当該新規機能についての情報を含む報知画面をディスプレイに表示させるステップを実行する、制御方法である。
【発明の効果】
【００２２】
この発明によれば、新規機能が有ることおよび新規機能の内容をユーザに認識させることができる。
【００２３】
この発明の上述の目的，その他の目的，特徴および利点は、図面を参照して行う以下の実施例の詳細な説明から一層明らかとなろう。
【図面の簡単な説明】
【００２４】
【図１】図１はこの発明の一実施例である画像形成装置の外観構成を示す斜視図である。
【図２】図２は図１に示す画像形成装置の電気的な構成を示すブロック図である。
【図３】図３はコピー設定画面の一例を示す図解図である。
【図４】図４は報知画面を含むコピー設定画面の一例を示す図解図である。
【図５】図５は図２に示すＲＡＭのメモリマップの一例を示す図解図である。
【図６】図６は図２に示すＣＰＵの初期設定処理の一例を示すフロー図である。
【図７】図７は図２に示すＣＰＵの報知処理の一例を示すフロー図である。
【図８】図８は変形例のコピー設定画面の一例を示す図解図である。
【図９】図９は機能リストの一例を示す図解図である。
【図１０】図１０は表示設定変更後のコピー設定画面の一例を示す図解図である。
【図１１】図１１は第２実施例のコピー設定画面の一例を示す図解図である。
【図１２】図１２は第２実施例の報知画面を含むコピー設定画面の一例を示す図解図である。
【図１３】図１３は第２実施例の報知処理の一例を示すフロー図である。
【図１４】図１４は第３実施例のコピー設定画面の一例を示す図解図である。
【図１５】図１５は第３実施例の詳細設定画面を含むコピー設定画面の一例を示す図解図である。
【図１６】図１６は第３実施例の報知画面を含むコピー設定画面の一例を示す図解図である。
【図１７】図１７は第３実施例のホーム画面の一例を示す図解図である。
【図１８】図１８は第３実施例の報知処理の一例を示すフロー図である。
【発明を実施するための形態】
【００２５】
［第１実施例］
図１はこの発明の一実施例である画像形成装置１０の外観構成を示す正面図である。図１を参照して、第１実施例では、画像形成装置１０は、複写機能、プリンタ機能、スキャナ機能およびファクシミリ機能などを有する複合機（ＭＦＰ：Multifunction Peripheral）である。なお、この発明は複合機だけでなく、複写機（コピー機）、印刷装置（プリンタ）およびファクシミリのような他の画像形成装置に適用可能である。
【００２６】
なお、この明細書では、ユーザの立ち位置に対向する面、つまり後述する操作パネル２６が設けられる側の面を前面（正面）として画像形成装置１０およびその構成部材の前後方向（奥行方向）を規定し、画像形成装置１０およびその構成部材の左右方向（横方向）は、ユーザから画像形成装置１０を見た状態を基準として規定する。
【００２７】
画像形成装置１０は、画像読取部３０、画像形成部３２、手差し給紙部３４、給紙装置３８および排紙トレイ４０を含む装置本体３６を備える。
【００２８】
画像読取部３０は、透明材によって形成される原稿載置台を備え、装置本体３６に内蔵される。原稿載置台の上方には、ヒンジ等を介して原稿押えカバー３０ａが開閉自在に取り付けられる。この原稿押えカバー３０ａには、手差し給紙部３４が設けられる。また、原稿押えカバー３０ａには、手差し給紙部３４に載置された原稿を自動的に給紙するＡＤＦ（自動原稿送り装置）が設けられる。
【００２９】
また、画像読取部３０は、光源、複数のミラー、結像レンズおよびラインセンサ等を備える。この画像読取部３０は、原稿表面を光源によって露光し、原稿表面から反射した反射光を複数のミラーによって結像レンズに導く。そして、結像レンズによって反射光をラインセンサの受光素子に結像させる。ラインセンサでは、受光素子に結像した反射光の輝度または色度が検出され、原稿表面の画像に基づく読取画像データが生成される。ラインセンサとしては、ＣＣＤ（Charge Coupled Device）またはＣＩＳ（Contact Image Sensor）等が用いられる。
【００３０】
画像形成部３２は、装置本体３６に内蔵され、画像読取部３０の下方に設けられる。この画像形成部３２は、感光体ドラム、帯電装置、露光装置、現像装置、転写装置および定着装置などを備える。画像形成部３２は、手差し給紙部３４または給紙装置３８等から搬送される記録媒体（用紙）上に電子写真方式によって画像を形成し、画像形成済みの用紙を排紙トレイ４０に排出する。ただし、用紙上に画像を形成するための画像データとしては、画像読取部３０で読み取った画像データ、または外部コンピュータから送信された画像データ等が利用される。また、記録媒体としては、紙からなる用紙に限定されず、ＯＨＰフィルムなどの紙以外のシートも用いられる。
【００３１】
排紙トレイ４０は、画像読取部３０および画像形成部３２の間に設けられる。排紙トレイ４０の底面は、画像形成部３２によって区画される。また、排紙トレイ４０の天面は、画像読取部３０によって区画される。さらに、排紙トレイ４０の左側面（正面から見た左側面）は、連結筐体４２の右側面で規定される。つまり、排紙トレイ４０の前面側、背面側および左側面側は、開口する。排紙トレイ４０の底面は、連結筐体４２側に向かって下り勾配となる傾斜面を有する。
【００３２】
また、画像読取部３０の前面側には、操作パネル２６が設けられる。操作パネル２６は、タッチパネル２０付きのディスプレイ２２および複数の操作ボタン２６ａを含む。
【００３３】
タッチパネル２０付きのディスプレイ２２には、各種設定または印刷指示などをユーザから受け付けるためのソフトウェアキーおよびメッセージ等が表示される。一例として、ディスプレイ２２には、画像形成装置１０が実行可能な各種のジョブ（機能）から所望のジョブを選択するための画面であるホーム画面および各ジョブの動作条件を設定するための設定画面などの操作画面が表示される。ただし、この第１実施例では、ジョブは、コピー（原稿のスキャンを含む）、印刷およびファックスの送信などを意味する。
【００３４】
操作ボタン２６ａは、ハードウェアキーであって、たとえば、ホームキー、省電力キーおよび主電源キーなどが含まれる。ホームキーは、ホーム画面をディスプレイ２２に表示させるためのキーである。省電力キーは、消費電力が制限される省電力状態（省電力モード）と、消費電力が制限されない通常状態（通常モード）とを切り替えるためのキーである。
【００３５】
なお、ソフトウェアキーとは、たとえばタッチパネル２０付きのディスプレイ２２の表示面上にソフトウェア的に再現されたキー（アイコン）のことを言う。これに対して、ハードウェアキーとは、物理的な装置として設けられたキー（ボタン）のことを言う。
【００３６】
図２は図１に示す画像形成装置１０の電気的な構成を示すブロック図である。図２を参照して、画像形成装置１０はＣＰＵ１２を含む。ＣＰＵ１２には、バス６０を介してＲＡＭ１４、ＨＤＤ２８、タッチパネル制御回路１６、表示制御回路１８、操作ボタン検出回路２４、画像読取部３０、画像形成部３２および通信回路５０が接続される。また、タッチパネル制御回路１６にはタッチパネル２０が接続され、表示制御回路１８にはディスプレイ２２が接続され、操作ボタン検出回路２４には操作ボタン２６ａが接続される。
【００３７】
ＣＰＵ１２は、画像形成装置１０の全体的な制御を司る。ＲＡＭ１４は、ＣＰＵ１２のワーク領域およびバッファ領域として用いられる。
【００３８】
ＨＤＤ２８は、画像形成装置１０の主記憶装置であって、ＣＰＵ１２が画像形成装置１０の各部位の動作を制御するための制御プログラムおよび各種の画面についての表示画像データ等を適宜記憶する。ただし、ＨＤＤ２８に代えて、またはＨＤＤ２８とともに、ＳＳＤ、フラッシュメモリ、ＥＥＰＲＯＭなどの他の不揮発性メモリが用いられてもよい。
【００３９】
タッチパネル制御回路１６は、タッチパネル２０に必要な電圧などを付与するとともに、タッチパネル２０のタッチ有効範囲内でのタッチ操作（タッチ入力）を検出して、そのタッチ入力の位置を示すタッチ座標データをＣＰＵ１２に出力する。
【００４０】
タッチパネル２０は、汎用のタッチパネルであり、静電容量方式、電磁誘導方式、抵抗膜方式、赤外線方式など、任意の方式のものを用いることができる。この第１実施例では、タッチパネル２０としては、静電容量方式のタッチパネルが用いられ、ディスプレイ２２の表示面上にタッチパネル２０が設けられる。ただし、タッチパネル２０とディスプレイ２２とが一体的に形成されたタッチパネルディスプレイが用いられてもよい。
【００４１】
表示制御回路１８は、ＧＰＵおよびＶＲＡＭなどを含んでおり、ＣＰＵ１２の指示の下、ＧＰＵは、ＲＡＭ１４に記憶された画像生成データを用いてディスプレイ２２に種々の画面を表示するための表示画像データをＶＲＡＭに生成し、生成した表示画像データをディスプレイ２２に出力する。ディスプレイ２２としては、たとえばＬＣＤまたはＥＬ（Electro-Luminescence）ディスプレイなどを用いることができる。
【００４２】
操作ボタン検出回路２４は、上述した操作ボタン２６ａの操作に応じた操作信号ないし操作データをＣＰＵ１２に出力する。
【００４３】
通信回路５０は、インターネットなどのネットワークに接続するための通信回路である。この通信回路５０は、有線通信回路または無線通信回路であり、ＣＰＵ１２からの指示に従って、ネットワークを介して、サーバ等の外部コンピュータと通信する。
【００４４】
なお、図２に示す画像形成装置１０の電気的な構成は単なる一例であり、これに限定される必要はない。たとえば、各種の記録媒体（ＳＤカードまたはＵＳＢメモリなど）を装着可能な接続部（メモリスロットなど）などを備えても良い。
【００４５】
図３はコピー設定画面１００の一例を示す図解図である。画像形成装置１０において、ホーム画面で所定のジョブが選択されると、画像形成装置１０のディスプレイ２２には、選択されたジョブについての動作条件を設定するための設定画面が表示される。たとえば、ホーム画面でコピージョブが選択されると、画像形成装置１０のディスプレイ２２には、図３に示すようなコピー設定画面１００が表示される。このコピー設定画面１００は、コピージョブの動作条件を設定するための画面である。
【００４６】
コピー設定画面１００には、スタートキー、リセットキー、プレビューキー、テンキー、機能選択キー１０２などのソフトウェアキーが設けられる（表示される）。
【００４７】
スタートキーは、横方向に長い長方形状であり、コピー設定画面１００の右下のコーナ領域に表示されている。このスタートキーは、画像形成装置１０の所定の動作を開始させるためのキーである。また、スタートキーは、ほぼ中央で左右に分割されており、左側には白黒スタートキーが、右側にはカラースタートキーが設けられる。カラースタートキーがタッチ（選択）されると、カラーモードの設定に応じてカラーコピーが開始される。一方、白黒スタートキーがタッチされると、白黒コピーが開始される。
【００４８】
リセットキーおよびプレビューキーは、それぞれ矩形形状であり、スタートキーの上側に表示される。リセットキーは、コピー設定画面１００の右端に表示され、プレビューキーは、リセットキーの左側（左隣）に表示される。リセットキーは、画像形成装置１０の所定の動作に関する設定を中止（初期化）させるためのキーである。たとえば、リセットキーがタッチされると、コピー設定画面１００で設定されたコピージョブの動作条件の設定が初期化される。プレビューキーは、スキャンされた画像を表示（プレビュー）するためのキーである。プレビューキーがタッチされると、スキャンされた画像（プレビュー画像）がディスプレイ２２に表示される。
【００４９】
テンキーは、コピー設定画面１００の中央に表示され、さらにテンキー入力表示欄がテンキーの上側に表示される。テンキーは、画像形成の処理部数を入力するためのキーである。テンキーがタッチされると、入力された内容がテンキー入力表示欄に表示される。
【００５０】
機能選択キー１０２は、矩形形状であり、コピー設定画面１００の左端に表示される。機能選択キー１０２は、複数設けられ、上下方向に並んで配置される。複数の機能選択キー１０２の各々は、コピージョブに含まれる複数の機能（動作条件）の各々に対応する。具体的には、コピー設定画面１００には、カラーモード、原稿の向き、用紙選択、画面コピー、倍率、コピー濃度およびページ集約の各々についての詳細設定を行うための機能選択キー１０２が表示される。機能選択キー１０２がタッチされると、タッチされた機能選択キー１０２に対応する機能についての詳細設定画面がディスプレイ２２に表示される。
【００５１】
このような構成の画像形成装置１０では、画像形成装置１０で実行可能な各種機能について、詳細な説明および操作方法などが提示されることがある。これによって、ユーザは、画像形成装置１０で利用したことのない機能の内容および操作方法などを認識することができる。
【００５２】
ここで、画像形成装置１０は、上述した画像形成装置１０を構成するハードウェアを制御するためのコンピュータプログラム（ファームウェア）を備えている。画像形成装置１０は、ファームウェアを介して各ハードウェアの動作を制御することにより、各機能を実現している。ファームウェアは、バージョンアップ、又は不具合の修正等のために、新たなファームウェアにアップデート（更新）される。新たなファームウェアは、たとえばネットワークを介してサーバ等の外部コンピュータからダウンロードされたり、ＳＤカードまたはＵＳＢメモリなどの記録媒体からダウンロードされたりする。このように、画像形成装置１０のファームウェアが更新された場合には、それまで実行できなかった機能（新規機能）が追加されることがある。
【００５３】
しかしながら、従来の画像形成装置では、新たに追加された新規機能が存在する場合に、ユーザがその新規機能の存在に気づかなかったり、新規機能の内容が分からなかったりすることがある。このため、改善の余地がある。
【００５４】
そこで、この第１実施例では、新規機能が追加された場合に、新規機能についての情報を含む報知画面１０４をディスプレイ２２に表示させるようにした。
【００５５】
第１実施例では、ファームウェアが更新される場合には、更新前のファームウェア（第１ファームウェアに相当）のバージョン情報（バージョン履歴）が記憶される。
【００５６】
また、新たなファームウェアには、最新（更新後）のバージョンのファームウェア（第２ファームウェアに相当）および古いバージョンのファームウェアの各々において実行可能な機能を示す機能テーブルが含まれる。機能テーブルには、ファームウェアのバージョンに対応して、各バージョンのファームウェアにおいて実行可能な機能が記述される。
【００５７】
画像形成装置１０は、ファームウェアの更新が完了したときに、機能テーブルを参照して、最新のファームウェアで実行可能な機能と、更新前のファームウェアで実行可能な機能とを比較する。そして、最新のファームウェアで実行可能な機能のうち、更新前のファームウェアでは実行できなかった新規機能が存在するかどうかが判断される。つまり、画像形成装置１０は、機能テーブルを参照して、新規機能を検出する。また、最新のファームウェアと更新前のファームウェアとで共通して実行可能な同様の機能であっても、機能の内容に変更点が有る場合は、その変更点が新規機能として検出される。
【００５８】
以下、図４を参照して画像形成装置１０の動作例を説明する。図４は報知画面１０４を含むコピー設定画面１００の一例を示す図解図である。
【００５９】
新規機能が存在すると判断された場合には、図４に示すように、新規機能についての情報（新規機能の存在および新規機能の内容をユーザに報知するための情報）を含む報知画面１０４がディスプレイ２２に表示される。ただし、報知画面１０４は、新規機能に関連する操作画面（たとえばジョブについての設定画面など）がディスプレイ２２に表示されている場合に表示される。具体的には、新規機能が追加されたジョブについての設定画面が表示される場合に表示される。このため、ホーム画面および新規機能に関連しない他のジョブの操作画面がディスプレイ２２に表示されている場合には、報知画面１０４は表示されない。
【００６０】
たとえば、コピージョブに関する新規機能が追加された場合には、報知画面１０４は、ホーム画面からコピー設定画面１００に切り替わったときに、コピー設定画面１００の前面側に重ねて表示される。
【００６１】
報知画面１０４には、新規機能（たとえば蛍光ペン機能）が追加されたことを示す旨のメッセージの他に、機能設定部１０６、移動キー１０８、表示設定部１１０および閉じるキー１１２が設けられる。
【００６２】
機能設定部１０６は、新規機能を有効（ＯＮ）にするか無効（ＯＦＦ）にするかを設定するために設けられる。具体的には、機能設定部１０６は、新規機能を有効にすることが割り当てられたチェックボックスと、新規機能を無効にすることが割り当てられたチェックボックスとを含み、ユーザのタッチ入力に応じてチェックボックスにチェックが入れられる。いずれかのチェックボックスにチェックが入ることによって、新規機能の設定が変更される。
【００６３】
移動キー１０８は、新規機能の詳細設定を行うためのソフトウェアキーである。この移動キー１０８がタッチされると、画像形成装置１０のディスプレイ２２には、新規機能の詳細設定を行う画面が表示される。
【００６４】
表示設定部１１０は、報知画面１０４の表示設定を変更するために設けられる。具体的には、表示設定部１１０は、現在表示されている新規機能についての報知画面１０４を今後表示しないようにすることが割り当てられたチェックボックスを含む。ただし、初期状態では、表示設定部１１０のチェックボックスにはチェックが入っておらず、ユーザのタッチ入力に応じてチェックが入れられる。表示設定部１１０のチェックボックスにチェックが入った状態で報知画面１０４が閉じられると、次から現在表示されている新規機能についての報知画面１０４が表示されなくなる。一方、表示設定部１１０のチェックボックスにチェックが入っていない状態で報知画面１０４が閉じられると、次にホーム画面からコピー設定画面１００に切り替わったときにも、報知画面１０４が表示される。
【００６５】
閉じるキー１１２は、報知画面１０４を閉じるためのキーである。閉じるキー１１２がタッチされると、報知画面１０４を閉じられて、図３に示すようなコピー設定画面１００が表示される。ただし、報知画面１０４が表示されている場合は、報知画面１０４以外の操作ができないようになっており、コピー設定画面１００に設けられたキーは無効にされている。
【００６６】
画像形成装置１０の上記のような動作は、ＣＰＵ１２がＲＡＭ１４に記憶された制御プログラムを実行することによって実現される。具体的な処理については、後でフロー図を用いて説明する。
【００６７】
図５は図２に示すＲＡＭ１４のメモリマップ７０の一例を示す図解図である。図５に示すように、ＲＡＭ１４は、プログラム記憶領域７２およびデータ記憶領域７４を含む。ＲＡＭ１４のプログラム記憶領域７２には、上述したように、制御プログラムが記憶される。制御プログラムは、表示プログラム７２ａ、操作検出プログラム７２ｂ、新規機能検出プログラム７２ｃ、報知プログラム７２ｄおよび通信プログラム７２ｅを含む。
【００６８】
表示プログラム７２ａは、ＧＰＵを制御して、後述する画像生成データ７４ｂを用いて、ホーム画面またはコピー設定画面１００などの各種の画面に対応する表示画像データを生成し、ディスプレイ２２に出力するためのプログラムである。また、表示プログラム７２ａは、画像生成データ７４ｂを用いて、報知画面１０４に対応する表示画像データを生成し、ディスプレイ２２に出力するためのプログラムである。
【００６９】
操作検出プログラム７２ｂは、画像形成装置１０の各部への操作を検出するためのプログラムである。たとえば、操作検出プログラム７２ｂは、タッチパネル２０から出力されたタッチ座標データを取得して、ディスプレイ２２に表示される各種の画面に含まれるソフトウェアキーが操作されたことを検出するためのプログラムである。また、操作検出プログラム７２ｂは、操作ボタン２６ａからの操作入力を検出するためのプログラムでもある。
【００７０】
新規機能検出プログラム７２ｃは、後述するバージョン情報データ７４ｃおよびテーブルデータ７４ｄを参照して、最新のファームウェアで実行可能な機能のうち、更新前のファームウェアでは実行できなかった新規機能を検出するためのプログラムである。
【００７１】
報知プログラム７２ｄは、新規機能検出プログラム７２ｃに従って新規機能が検出された場合に、報知画面１０４をディスプレイ２２に表示させ、新規機能の存在および新規機能の内容をユーザに報知するためのプログラムである。ただし、報知プログラム７２ｄは、ユーザ操作に応じて、報知画面１０４をディスプレイ２２に表示させないようにするためのプログラムでもある。
【００７２】
通信プログラム７２ｅは、外部のコンピュータなどと、ネットワークを介して通信するためのプログラムである。
【００７３】
なお、図示は省略するが、プログラム記憶領域７２には、画像読取プログラムおよび画像形成プログラムなども記憶される。画像読取プログラムは、画像読取部３０を制御して、原稿の画像を読み取り、読み取った画像に対応する画像信号（画像データ）を出力するためのプログラムである。画像形成プログラムは、画像形成部３２を制御して、多色または単色の画像を用紙に印刷するためのプログラムである。また、プログラム記憶領域７２には、画像形成装置１０が備える各種の機能を選択および実行するためのプログラムなども記憶される。
【００７４】
ＲＡＭ１４のデータ記憶領域７４には、操作入力データ７４ａ、画像生成データ７４ｂ、バージョン情報データ７４ｃおよびテーブルデータ７４ｄなどのデータが記憶される。また、データ記憶領域７４には、表示フラグ７４ｅなどが記憶される。
【００７５】
操作入力データ７４ａは、たとえば操作検出プログラム７２ｂに従って検出（取得）されたタッチ座標データまたは／および操作データである。検出されたタッチ座標データまたは／および操作データは、時系列に従って記憶される。
【００７６】
画像生成データ７４ｂは、ディスプレイ２２に表示される、ホーム画面、コピー設定画面１００および報知画面１０４などの各種の画面に対応する表示画像データを生成するためのポリゴンデータまたはテクスチャデータ等のデータである。また、画像生成データ７４ｂには、ソフトウェアキーの画像データ等も含まれる。
【００７７】
バージョン情報データ７４ｃは、最新のファームウェアのバージョン情報および更新前のファームウェアのバージョン情報についてのデータである。
【００７８】
テーブルデータ７４ｄは、上述した機能テーブルのデータを含む。ただし、このテーブルデータ７４ｄは、たとえば、画像形成装置１０のＨＤＤ２８に記憶されている。テーブルデータ７４ｄは、画像形成装置１０のＨＤＤ２８から読み出され、ＲＡＭ１４に記憶される。
【００７９】
表示フラグ７４ｅは、報知画面１０４をディスプレイ２２に表示させるかどうかを判断するためのフラグであり、報知プログラム７２ｄに従って所定の条件が満たされた場合にオン／オフされる。表示フラグ７４ｅは、複数存在する。複数の表示フラグ７４ｅの各々は、最新のファームウェアで実行可能な機能の各々に対応する。この第１実施例では、新規機能が検出された場合に、検出された新規機能に対応する表示フラグ７４ｅがオンされる。一方、オンされた表示フラグ７４ｅは、表示設定部１１０のチェックボックスにチェックが入った状態で報知画面１０４を閉じられた場合にオフされる。
【００８０】
なお、図示は省略するが、データ記憶領域７４には、制御プログラムの実行に必要な他のデータが記憶されたり、制御プログラムの実行に必要なタイマ（カウンタ）およびレジスタが設けられたりする。
【００８１】
図６は図２に示すＣＰＵ１２の初期設定処理の一例を示すフロー図である。この初期設定処理は、ファームウェアの更新が完了したときに開始される。
【００８２】
図６に示すように、ＣＰＵ１２は、初期設定処理を開始すると、ステップＳ１で、現在のファームウェアのバージョン情報を取得し、ステップＳ３で、更新前のファームウェアのバージョン情報を取得し、ステップＳ５で、新規機能が存在するかどうかを判断する。
【００８３】
ステップＳ５で“ＮＯ”であれば、つまり、新規機能が存在しないと判断した場合は、初期設定処理を終了する。また、ステップＳ５で“ＹＥＳ”であれば、つまり、新規機能が存在すると判断した場合は、ステップＳ７で、新規機能に対応する表示フラグ７４ｅをオンにして、初期設定処理を終了する。
【００８４】
次に、報知処理について説明する。図７は図２に示すＣＰＵ１２の報知処理の一例を示すフロー図である。この報知処理は、初期設定処理が終了した後に開始される。
【００８５】
図７に示すように、ＣＰＵ１２は、報知処理を開始すると、ステップＳ３１で、表示フラグ７４ｅがオンかどうかを判断する。ここでは、複数の表示フラグ７４ｅのうち、オンされた表示フラグ７４ｅが存在するかどうかを判断する。ステップＳ３１で“ＮＯ”であれば、つまり、オンされた表示フラグ７４ｅが存在しない場合は、報知処理を終了する。また、ステップＳ３１で“ＹＥＳ”であれば、つまり、オンされた表示フラグ７４ｅが存在する場合は、ステップＳ３３で、オンされた表示フラグ７４ｅに対応する新規機能に対応する操作画面がディスプレイ２２に表示されているかどうかを判断する。ここでは、新規機能が、ホーム画面で選択されたジョブに関連するかどうかを判断する。
【００８６】
ステップＳ３３で“ＮＯ”であれば、つまり、新規機能に対応する操作画面がディスプレイ２２に表示されていない場合は、報知処理を終了する。また、ステップＳ３３で“ＹＥＳ”であれば、つまり、新規機能に対応する操作画面がディスプレイ２２に表示されている場合は、ステップＳ３５で、報知画面１０４をディスプレイ２２に表示して、ステップＳ３７で、表示フラグ７４ｅをオフにするかどうかを判断する。ここでは、表示設定部１１０のチェックボックスにチェックが入った状態で報知画面１０４を閉じられたかどうかを判断する。
【００８７】
ステップＳ３７で“ＮＯ”であれば、つまり、表示フラグ７４ｅをオフにしない場合は、報知処理を終了する。また、ステップＳ３７で“ＹＥＳ”であれば、つまり、表示フラグ７４ｅをオフにする場合は、ステップＳ３９で、表示フラグ７４ｅをオフにして、報知処理を終了する。
【００８８】
この第１実施例によれば、新規機能が追加された場合に、新規機能についての情報を含む報知画面１０４をディスプレイ２２に表示させるようにしたので、新規機能が有ることおよび新規機能の内容をユーザに認識させることができる。
【００８９】
また、第１実施例によれば、新規機能に関連する操作画面がディスプレイ２２に表示されている場合に報知画面１０４を表示させるようにしたので、新規機能が有ることおよび新規機能の内容を適切にユーザに認識させることができる。
【００９０】
さらに、第１実施例によれば、新規機能検出プログラム７２ｃに従って新規機能が検出されるので、適切に新規機能を検出して、新規機能が有ることおよび新規機能の内容をユーザに認識させることができる。
【００９１】
さらにまた、第１実施例によれば、画像形成装置において実行可能な機能を示す機能テーブルに従って新規機能が検出されるので、適切に新規機能を検出して、新規機能が有ることおよび新規機能の内容をユーザに認識させることができる。
【００９２】
また、第１実施例によれば、報知画面１０４がコピー設定画面１００の前面側に重ねて表示されるので、新規機能が有ることおよび新規機能の内容を確実にユーザに認識させることができる。
【００９３】
さらに、第１実施例によれば、ファームウェアが更新されたときに追加された新規機能を検出するようにしたので、ファームウェアの更新時に追加された新規機能の内容を適切にユーザに認識させることができる。
【００９４】
さらにまた、第１実施例では、表示設定部１１０のチェックボックスにチェックが入った状態で報知画面１０４を閉じられると、次から報知画面１０４が表示されなくなるようにした。このため、ユーザが新規機能の内容を認識した場合には、報知画面１０４を表示させないようにするので、操作がし易い。
【００９５】
なお、第１実施例では、ファームウェアが更新されるときに新規機能が追加される場合を例に挙げて説明したが、これに限定される必要は無い。たとえば、画像形成装置１０の入れ替え（機種変更）が行われる場合がある。たとえば、或るバージョンのファームウェアを備える画像形成装置（旧装置）から、旧装置よりも新しいバージョンのファームウェアを備える画像形成装置（新装置）への機種変更が行われる。ただし、新装置のＨＤＤ２８には、上述した機能テーブルが記憶されている。また、新装置のＲＡＭ１４には、旧装置のファームウェアのバージョン情報（旧装置のバージョン情報）を取得するための取得プログラムが記憶される。新装置は、取得プログラムに従って旧装置のバージョン情報を取得して、新装置のファームウェアで実行可能な機能と、旧装置のファームウェアで実行可能な機能とを比較する。そして、新装置のファームウェアで実行可能な機能のうち、旧装置のファームウェアで実行できなかった機能が新規機能として検出される。
【００９６】
ここで、新装置において旧装置のバージョン情報を取得する方法としては、たとえば、機種変更が行われる際に、ユーザまたはサービスマン等が、旧装置のバージョン情報を手動で新装置に入力（手入力）する方法がある。この場合、旧装置のバージョン情報に対応するＩＤなどの入力を受け付ける入力画面をディスプレイ２２に表示させるようにしても良い。また、旧装置のバージョン情報をＳＤカードまたはＵＳＢメモリなどの記録媒体に記憶させておき、新装置に記録媒体を接続することによって、旧装置のバージョン情報を新装置に転送するようにしても良い。さらに、画像形成装置１０および外部コンピュータ（たとえばサーバ）を含む画像形成システムであれば、旧装置のバージョン情報をサーバ等の外部コンピュータに記憶させておき、ネットワークを介してサーバから新装置に旧装置のバージョン情報を取得（ダウンロード）するようにしても良い。この場合、旧装置のバージョン情報には、その旧装置を使用していたユーザの情報が紐づけられる。そして、ユーザまたはサービスマンの手入力などによって、新装置が旧装置を使用していたユーザの情報を取得して、そのユーザの情報が紐づけられた旧装置のバージョン情報をサーバからダウンロードする。また、新装置がサーバに自動的にアクセスして、ユーザの情報が紐づけられた旧装置のバージョン情報を外部コンピュータからダウンロードするようにしても良い。さらに、機能テーブルがサーバに記憶されていても良い。この場合、新装置がサーバにアクセスして、サーバに記憶された機能テーブルを参照して、新規機能を検出する。以上のようにすれば、機種変更が行われた場合に、新たに使用する画像形成装置１０に新規機能が有ることおよび新規機能の内容をユーザに認識させることができる。
【００９７】
なお、画像形成装置１０の機種変更によって新規機能が追加される場合には、旧装置が新しい世代の下位グレードの画像形成装置であって、新装置が旧装置よりも前の世代の上位グレードの画像形成装置である場合も含まれる。このことは、新しい世代の下位グレードの画像形成装置よりも、前の世代の上位グレードの画像形成装置の方が実行可能な機能が多い場合があるからである。この場合、新装置においては、外部コンピュータからダウンロードされるなどして、テーブルデータ７４ｄが最新の状態に更新される。また、同世代の画像形成装置同士の機種変更であって、旧装置が下位グレードの画像形成装置であって、新装置が旧装置よりも上位グレードの画像形成装置である場合も同様である。
【００９８】
また、第１実施例では、表示設定部１１０のチェックボックスにチェックが入った状態で報知画面１０４を閉じられると、次から報知画面１０４が表示されなくなる（表示フラグ７４ｅがオフされる）ようにしたが、これに限定される必要は無い。他の条件が満たされた場合に、次から報知画面１０４が表示されなくなるようにしても良い。たとえば、ユーザ認証を行い、画像形成装置１０がユーザを識別する場合には、ユーザ毎に表示フラグ７４ｅをオン／オフするようにしても良い。この場合、ユーザ毎に表示フラグ７４ｅが管理され、或るユーザについては表示フラグ７４ｅがオフされていても、他のユーザについて表示フラグ７４ｅがオンされていることがある。このようにすれば、新規機能の存在および新規機能の内容を認識したユーザには報知画面１０４を表示させずに、新規機能の存在および新規機能の内容を知らないユーザには報知画面１０４を表示させることができる。このため、新規機能が有ることおよび新規機能の内容を適切に報知することができる。
【００９９】
さらに、新規機能が追加されたときから、所定の期間（たとえば７日〜２０日）が経過したときに、報知画面１０４が表示されなくなる（表示フラグ７４ｅがオフされる）ようにしても良い。また、ディスプレイ２２に報知画面１０４が初めて表示されたときから、所定の期間が経過したときに、報知画面１０４が表示されなくなるようにしても良い。
【０１００】
さらにまた、図８に示すように、機能リスト１５２（図９参照）を表示するための機能リストキー１１８をコピー設定画面１００に表示するようにしても良い。機能リストキー１１８がタッチされると、各機能に対応するソフトウェアキー（たとえば機能選択キー１０２など）を表示するかどうかの設定を行うための表示設定画面１５０が表示される。表示設定画面１５０には、機能リスト１５２が表示される。機能リスト１５２には、複数の機能が記述され、複数の機能毎に、第１チェックボックス１５２ａ、第２チェックボックス１５２ｂ、機能説明キー１５２ｃ、詳細設定キー１５２ｄおよび戻るキー１５２ｅが設けられる。なお、図９に示すように、機能リスト１５２に記述される機能には、新規機能の他に、従来機能（従来から存在する機能または従来から実行できた機能）が含まれる。第１チェックボックス１５２ａは、機能に対応するソフトウェアキーを表示させることを選択するためのチェックボックスである。第２チェックボックス１５２ｂは、機能に対応するソフトウェアキーを表示させないことを選択するためのチェックボックスである。第１チェックボックス１５２ａおよび第２チェックボックス１５２ｂのいずれかにチェックが入るように設定されており、ユーザ操作に応じて設定が変更される。つまり、第１チェックボックス１５２ａおよび第２チェックボックス１５２ｂのいずれにチェックが入るかに応じて、各機能に対応するソフトウェアキーを表示するかどうかの設定が変更される。ただし、新規機能に対応するソフトウェアキーが非表示にされている場合には、その新規機能は無効にされる。したがって、新規機能に対応するソフトウェアキーが非表示にされている場合には、その新規機能に対応する報知画面１０４が表示されることはない。機能説明キー１５２ｃがタッチされると、機能説明キー１５２ｃに対応する機能について、詳細な説明および操作方法などが提示される。たとえば、機能の詳細な説明および操作方法が記述された画面またはウインドウが表示される。詳細設定キー１５２ｄがタッチされると、詳細設定キー１５２ｄに対応する機能の詳細設定を行う画面が表示される。戻るキー１５２ｅがタッチされると、コピー設定画面１００に戻る（コピー設定画面１００に切り替わる）。たとえば、“倍率”および“コピー濃度”の第２チェックボックス１５２ｂにチェックが入った状態で、戻るキー１５２ｅがタッチされると、図１０に示すように、コピー設定画面１００において“倍率”および“コピー濃度”に対応する機能選択キー１０２が非表示にされる。このように、各機能に対応するソフトウェアキーを表示するかどうかを任意に選択することができるので、使い勝手が良い。また、ユーザにとって不要な機能に対応するソフトウェアキーを非表示にすることによって、操作画面に表示されるソフトウェアキーの数が減り、操作画面の視認性を向上させることができる。
［第２実施例］
第２実施例の画像形成装置１０では、コピー設定画面１００に、報知画面１０４を表示させるための報知キー１１４を表示させるようにした以外は第１実施例と同じであるため、第１実施例と異なる内容について説明し、重複した説明については省略することにする。
【０１０１】
図１１は第２実施例のコピー設定画面１００の一例を示す図解図である。図１２は第２実施例の報知画面１０４を含むコピー設定画面１００の一例を示す図解図である。
【０１０２】
第２実施例では、図１１に示すように、コピー設定画面１００に、報知画面１０４を表示させるための報知キー１１４が表示される。
【０１０３】
報知キー１１４は、横方向に長い長方形状であり、コピー設定画面１００の右上のコーナ領域に表示されている。この報知キー１１４には、新規機能が追加されたことを示す旨のメッセージが表示される。そして、報知キー１１４がタッチされた場合に、報知画面１０４が表示される。つまり、報知キー１１４は、報知画面１０４へのショートカットキーとして機能する。
【０１０４】
ただし、報知キー１１４は、対応する新規機能の表示フラグ７４ｅに連動して表示されたり、表示されなくなったりする。このため、報知キー１１４は、対応する新規機能の表示フラグ７４ｅがオンされたときから表示される。また、報知キー１１４は、表示設定部１１０のチェックボックスにチェックが入った状態で報知画面１０４を閉じられると、表示されなくなる。
【０１０５】
以下、フロー図を用いて、第２実施例における報知処理について説明するが、第１実施例で説明した報知処理と同じ処理については同じ参照符号を付し、重複した内容については、説明を省略するまたは簡単に説明することにする。
【０１０６】
図１３は第２実施例の報知処理の一例を示すフロー図である。図１３に示すように、ＣＰＵ１２は、報知処理を開始すると、ステップＳ３３で“ＹＥＳ”であれば、ステップＳ５１で、報知キー１１４をコピー設定画面１００に表示して、ステップＳ５３で、報知キー１１４が選択されたかどうかを判断する。
【０１０７】
ステップＳ５３で“ＮＯ”であれば、つまり、報知キー１１４が選択されない場合は、報知処理を終了する。ただし、報知キー１１４が選択される操作以外の操作があった場合は、その他の処理を実行する。その他の処理としては、ユーザの指示に従って各ジョブにおける各種の設定が行われる処理および各ジョブが開始または停止される処理などが該当する。
【０１０８】
一方、ステップＳ５３で“ＹＥＳ”であれば、つまり、報知キー１１４が選択された場合は、ステップＳ３５に進み、報知画面１０４をディスプレイ２２に表示する。
【０１０９】
また、ステップＳ３７で“ＹＥＳ”であれば、ステップＳ３９で、表示フラグ７４ｅをオフにして、ステップＳ５５で、報知キー１１４を非表示にして、報知処理を終了する。
【０１１０】
なお、ステップＳ３３までの処理、ステップＳ３５の処理およびステップＳ３７の処理の内容については、第１実施例と同じであるので説明を省略する。
【０１１１】
この第２実施例によれば、報知キー１１４が表示されるので、新規機能が有ることを適切に報知することができる。また、報知キー１１４がタッチされるまでは、新規機能以外の設定を行うことができる。さらに、報知キー１１４がタッチされた場合には、報知画面１０４が表示されるので、新規機能の内容を適切に報知することができる。
［第３実施例］
第３実施例の画像形成装置１０では、新規機能の存在を報知するための報知マーク１１６を表示させるようにした以外は第１実施例と同じであるため、第１実施例と異なる内容について説明し、重複した説明については省略することにする。
【０１１２】
図１４は第３実施例のコピー設定画面１００の一例を示す図解図である。図１５は第３実施例の詳細設定画面１２０を含むコピー設定画面１００の一例を示す図解図である。図１６は第３実施例の報知画面１０４を含むコピー設定画面１００の一例を示す図解図である。
【０１１３】
第３実施例では、図１４に示すように、コピー設定画面１００に設けられる機能選択キー１０２に、新規機能の存在を報知するための報知マーク１１６が表示される。
【０１１４】
たとえば、コピー濃度の設定に関する新規機能が存在する場合には、報知マーク１１６は、コピー濃度の詳細設定を行うための機能選択キー１０２の前面側に重ねて表示される。
【０１１５】
ここで、コピー濃度の詳細設定を行うための機能選択キー１０２がタッチされると、図１５に示すように、コピー濃度の設定を行うための詳細設定画面１２０がディスプレイ２２に表示される。詳細設定画面１２０は、コピー濃度を設定する濃度設定部１２２と、原稿の種類を設定する種類設定部１２４とを含む。
【０１１６】
濃度設定部１２２は、左右方向に延びるバーと、バーに沿って左右方向に移動されるスライダを含む。バーは、左右方向に所定の間隔で配置される目盛を含む。スライダは、初期状態においては、バーの左右方向の中央に位置する。このスライダは、ユーザの操作によって移動される。スライダの位置に応じて、コピー濃度が変更される。
【０１１７】
種類設定部１２４は、複数の種類の原稿の各々に対応する複数のソフトウェアキーを含む。いずれかのソフトウェアキーが選択されることによって、原稿の種類が設定され、自動的にコピー濃度が調整される。
【０１１８】
また、種類設定部１２４には、蛍光ペン機能（蛍光ペンモード）を設定する蛍光色設定部１２６が含まれる。第３実施例では、蛍光ペン機能が新規機能であり、蛍光色設定部１２６の近傍に、報知マーク１１６が表示される。なお、蛍光ペン機能とは、原稿に蛍光色が含まれている場合に、その蛍光色を濃くしたり、薄くしたりする機能を意味する。蛍光色設定部１２６は、チェックボックスを含み、チェックボックスにチェックが入ることによって、蛍光ペン機能が有効となる。一方、チェックボックスにチェックが入らない場合には、蛍光ペン機能が無効となる。ただし、初期状態では、蛍光色設定部１２６のチェックボックスにはチェックが入っておらず、ユーザのタッチ入力に応じてチェックが入れられる。
【０１１９】
ここで、蛍光色設定部１２６のチェックボックスにユーザのタッチ入力に応じてチェックが入れられると、図１６に示すように、報知画面１０４が表示される。つまり、新規機能の設定が変更されると、報知画面１０４が表示される。
【０１２０】
ただし、報知マーク１１６は、対応する新規機能の表示フラグ７４ｅに連動して表示されたり、表示されなくなったりする。このため、報知マーク１１６は、対応する新規機能の表示フラグ７４ｅがオンされたときから表示される。また、報知マーク１１６は、表示設定部１１０のチェックボックスにチェックが入った状態で報知画面１０４を閉じられると、報知マーク１１６が表示されなくなる。
【０１２１】
また、報知マーク１１６は、図１７に示すようなホーム画面１４０において表示されるようにしても良い。ホーム画面１４０は、上述したように画像形成装置１０が実行可能な各種のジョブから所望のジョブを選択するための画面であり、各種のジョブに対応するジョブ選択キー１４２を含む。ここで、新規機能が含まれるジョブに対応するジョブ選択キー１４２に、報知マーク１１６が表示されるようにしても良い。たとえば、上述した蛍光ペン機能が新規機能として追加された場合には、報知マーク１１６は、蛍光ペン機能が含まれるコピージョブに対応するジョブ選択キー１４２の前面側に重ねて表示される。
【０１２２】
以下、フロー図を用いて、第３実施例における報知処理について説明するが、第１実施例で説明した報知処理と同じ処理については同じ参照符号を付し、重複した内容については、説明を省略するまたは簡単に説明することにする。
【０１２３】
図１８は第３実施例の報知処理の一例を示すフロー図である。図１８に示すように、ＣＰＵ１２は、報知処理を開始すると、ステップＳ３３で“ＹＥＳ”であれば、ステップＳ７１で、報知マーク１１６を表示して、ステップＳ７３で、新規機能の設定が変更されたかどうかを判断する。
【０１２４】
ステップＳ７３で“ＮＯ”であれば、つまり、新規機能の設定が変更されない場合は、報知処理を終了する。ただし、新規機能の設定が変更される操作以外の操作があった場合は、その他の処理を実行する。一方、ステップＳ７３で“ＹＥＳ”であれば、つまり、新規機能の設定が変更された場合は、ステップＳ３５に進み、報知画面１０４をディスプレイ２２に表示する。
【０１２５】
また、ステップＳ３７で“ＹＥＳ”であれば、ステップＳ３９で、表示フラグ７４ｅをオフにして、ステップＳ７５で、報知マーク１１６を非表示にして、報知処理を終了する。
【０１２６】
なお、ステップＳ３３までの処理、ステップＳ３５の処理およびステップＳ３７の処理の内容については、第１実施例と同じであるので説明を省略する。
【０１２７】
この第３実施例によれば、報知マーク１１６が表示されるので、新規機能が有ることを適切に報知することができる。また、新規機能の設定が変更された場合には、報知画面１０４が表示されるので、新規機能の内容を適切に報知することができる。
【０１２８】
なお、第３実施例に示した態様は、第２実施例にも組み合わせて採用することが可能である。この場合、図１７に示すようなホーム画面１４０に報知画面１０４を表示させるための報知キー１１４を表示させるようにしても良い。
【０１２９】
また、上述の実施例で挙げた数値、画面および具体的な構成等は一例であり、実際の製品に応じて適宜変更することが可能である。また、上述の実施例で示したフロー図の各ステップは、同じ結果が得られるのであれば、処理される順番は適宜変更することが可能である。
【符号の説明】
【０１３０】
１０  …画像形成装置
１２  …ＣＰＵ
１４  …ＲＡＭ
２８  …記憶部（ＨＤＤ）
３０  …画像読取部
３２  …画像形成部
１００…コピー設定画面
１０４…報知画面
【図１】
2019014108.tif 000003
【図２】
2019014108.tif 000004
【図３】
2019014108.tif 000005
【図４】
2019014108.tif 000006
【図５】
2019014108.tif 000007
【図６】
2019014108.tif 000008
【図７】
2019014108.tif 000009
【図８】
2019014108.tif 000010
【図９】
2019014108.tif 000011
【図１０】
2019014108.tif 000012
【図１１】
2019014108.tif 000013
【図１２】
2019014108.tif 000014
【図１３】
2019014108.tif 000015
【図１４】
2019014108.tif 000016
【図１５】
2019014108.tif 000017
【図１６】
2019014108.tif 000018
【図１７】
2019014108.tif 000019
【図１８】
2019014108.tif 000020